(57)【要約】【課題】  画像データに対する出力条件を、迅速かつ容易に設定することが可能な画像形成装置を提供する。【解決手段】画像形成装置２２において、ＵＳＢ  Ｉ／Ｆ６５は、持ち運び可能なＵＳＢメモリ６７を着脱可能に装着し、出力部は、画像データの出力を行なう。ＵＳＢメモリ６７は、出力部によって画像データを出力する際に設定される出力条件であるジョブ設定データを記憶するとともに、画像データを記憶可能である。画像形成装置２２において、操作パネル５４は、ＵＳＢ  Ｉ／Ｆ６５に対して装着されたＵＳＢメモリ６７に記憶される画像データ及びジョブ設定データに基づいて、出力対象の画像データ及び出力対象のジョブ設定データを選択し、出力部は、選択されたジョブ設定データを適用して、選択された画像データを出力する。【選択図】図１
2012005016.tif 000002
【特許請求の範囲】
【請求項１】
持ち運び可能な外部記憶媒体を着脱可能に装着する装着手段と、画像データを出力する出力手段と、を含む画像形成装置であって、
前記外部記憶媒体は、前記出力手段によって画像データを出力する際に設定される出力条件を記憶するとともに、画像データを記憶可能であり、
前記画像形成装置はさらに、
前記装着手段に対して装着された前記外部記憶媒体に記憶される画像データに基づいて、出力対象の画像データを選択するための第１の選択手段と、
前記装着手段に対して装着された前記外部記憶媒体に記憶される前記出力条件に基づいて、出力対象の出力条件を選択するための第２の選択手段と、を含み、
前記出力手段は、前記選択された出力条件を適用して、前記選択された画像データを出力する、画像形成装置。
【請求項２】
前記第１の選択手段及び前記第２の選択手段は、表示手段及び表示手段に対して重ねて構成されるタッチパネルを含み、
前記表示手段は、前記装着手段に対して装着された前記外部記憶媒体に記憶される画像データ及び出力条件の内容を表示し、
前記第１の選択手段及び前記第２の選択手段は、前記タッチパネルに対するユーザのタッチ操作を検出することによって、出力対象の画像データ及び出力対象の出力条件を選択する、請求項１に記載の画像形成装置。
【請求項３】
前記第１の選択手段によって、前記出力対象の画像データが複数選択された場合に、前記出力手段は、前記選択された複数の画像データに対し、前記選択された同一の出力条件を適用して、前記選択された複数の画像データを出力する、請求項１又は請求項２に記載の画像形成装置。
【請求項４】
前記第２の選択手段によって、前記出力対象の出力条件が複数選択された場合に、前記出力手段は、前記選択された同一の画像データに対し、前記選択された複数の出力条件を適用して、前記選択された画像データを出力する、請求項１又は請求項２に記載の画像形成装置。
【請求項５】
前記画像形成装置はさらに、
画像データを入力するための入力手段を含み、
前記出力手段は、前記外部記憶媒体が前記出力条件のみを記憶する場合に、前記選択された出力条件を適用して、前記入力手段によって入力される画像データを出力する、請求項１〜請求項４のいずれか１つに記載の画像形成装置。
【請求項６】
前記画像形成装置はさらに、前記出力条件を設定するための設定手段を含み、
前記外部記憶媒体に記憶される出力条件は、前記設定手段によって頻繁に設定される条件である、請求項１〜請求項５のいずれか１つに記載の画像形成装置。
【請求項７】
前記出力手段は、画像データに対し、ファクシミリ送信処理を実行するファクシミリ送信手段を含み、
前記出力条件は、通信相手先のファクシミリ番号又は電子メールアドレスである、請求項１〜請求項６のいずれか１つに記載の画像形成装置。
【請求項８】
前記外部記憶装置はさらに、ユーザを識別するための認証データを記憶し、
前記画像形成装置はさらに、
前記装着手段に対して装着された前記外部記憶媒体に記憶される認証データに基づいて、前記外部記憶媒体を所有するユーザが、当該画像形成装置の使用を許可された正規のユーザであるか否かを判定する認証手段を含む、請求項１〜請求項７のいずれかに記載の画像形成装置。
【発明の詳細な説明】
【技術分野】
【０００１】
本発明は、画像形成装置に関し、特には、外部記憶媒体に記憶される画像データを出力する技術に関する。
【背景技術】
【０００２】
近年、ＵＳＢメモリ等の持ち運び可能な外部記憶媒体を着脱可能な画像形成装置が知られている。このような画像形成装置では、外部記憶媒体に記憶される画像データを読込み、読込んだ画像データに対し、ファクシミリ（以下「ＦＡＸ」と記す場合がある。）送信処理及び印刷処理を実行することができる。
【０００３】
例えば、後掲の特許文献１には、印刷データ及び印刷データに関するプロパティを記述したプロパティファイルが記憶されているＰＣカードを着脱可能な入出力装置が開示されている。この入出力装置にＰＣカードがセットされ、ユーザによって所望の印刷データが指定されると、入出力装置は、ＰＣカードから指定された印刷データ及び対応する印刷条件を読出し、読出した印刷条件に基づいて指定された印刷データに基づく画像を印刷する。
【０００４】
また、後掲の特許文献２には、ＵＳＢメモリを着脱可能な複合機が開示されている。この複合機は、ＦＡＸ送信又は印刷を行なう際に、設定された出力条件と、画像データを格納した画像格納ファイルとをＵＳＢメモリに記憶させる。そして、ＦＡＸ再送信又は再印刷を行なう際に、ＵＳＢメモリに記憶される画像格納ファイル及び出力条件を読込み、画像格納ファイルから取出した画像データを、出力条件に従って、ＦＡＸ再送信又は再印刷を行なう。
【先行技術文献】
【特許文献】
【０００５】
【特許文献１】特開２００１−１５０７４５号公報
【特許文献２】特開２００９−６０２３４号公報
【発明の概要】
【発明が解決しようとする課題】
【０００６】
特許文献１及び特許文献２に開示される技術では、外部記憶媒体には、画像データと出力条件とがそれぞれ対応付けて記憶されている。したがって、記憶される出力条件を変更したり、新たに異なる出力条件を設定したりする場合には、操作パネル等に対する入力操作によって、選択可能な全ての出力条件の中から所望の条件を選択して設定しなければならず、手間と時間がかかる。
【０００７】
本発明の目的は、画像データに対する出力条件を、迅速かつ容易に設定することが可能な画像形成装置を提供することである。
【課題を解決するための手段】
【０００８】
本発明のある局面に係る画像形成装置は、持ち運び可能な外部記憶媒体を着脱可能に装着する装着手段と、画像データを出力する出力手段と、を含む画像形成装置である。外部記憶媒体は、出力手段によって画像データを出力する際に設定される出力条件を記憶するとともに、画像データを記憶可能である。画像形成装置はさらに、装着手段に対して装着された外部記憶媒体に記憶される画像データに基づいて、出力対象の画像データを選択するための第１の選択手段と、装着手段に対して装着された外部記憶媒体に記憶される出力条件に基づいて、出力対象の出力条件を選択するための第２の選択手段と、を含み、出力手段は、選択された出力条件を適用して、選択された画像データを出力する。
【０００９】
このように、外部記憶媒体に記憶される画像データ及び出力条件に基づいて、出力対象の画像データ及び出力対象の出力条件をそれぞれ選択することができるので、画像データと出力条件との組合せを、適宜選択することができる。これによって、出力条件を迅速に設定することが可能になる。また、上記構成を有する画像形成装置であれば、同一の機能に対する設定方法が異なるいずれの画像形成装置を使用した場合であっても、容易に出力条件を設定することが可能になる。
【００１０】
好ましくは、第１の選択手段及び第２の選択手段は、表示手段及び表示手段に対して重ねて構成されるタッチパネルを含み、表示手段は、装着手段に対して装着された外部記憶媒体に記憶される画像データ及び出力条件の内容を表示し、第１の選択手段及び第２の選択手段は、タッチパネルに対するユーザのタッチ操作を検出することによって、出力対象の画像データ及び出力対象の出力条件を選択する。これによって、ユーザは、表示手段に表示される情報を確認した後に、タッチパネルに対するタッチ操作によって出力対象の画像データ及び出力対象の出力条件を選択することができる。したがって、出力対象の画像データ及び出力対象の出力条件をより一層容易に選択することができるようになり、ユーザの利便性が向上する。
【００１１】
より好ましくは、第１の選択手段によって、出力対象の画像データが複数選択された場合に、出力手段は、選択された複数の画像データに対し、選択された同一の出力条件を適用して、選択された複数の画像データを出力する。これによって、複数の画像データに対して同一の出力条件を適用させたい場合（例えば、複数の画像データを、同一の通信相手先にファクシミリ送信したい場合、及び、１枚の記録用紙に集約（Ｎ−ｕｐ）印刷したい場合等）に、画像データ毎に出力条件を設定する手間を省くことができる。したがって、ユーザの利便性を向上させることができる。
【００１２】
さらに好ましくは、第２の選択手段によって、出力対象の出力条件が複数選択された場合に、出力手段は、選択された同一の画像データに対し、選択された複数の出力条件を適用して、選択された画像データを出力する。これによって、同一の画像データに対して複数の出力条件を適用させたい場合（例えば、同一の画像データに対し、集約（Ｎ−ｕｐ）印刷、及び、ステープル処理を行ないたい場合等）に、出力条件の組合せを容易に選択することができる。したがって、ユーザの利便性を向上させることができる。
【００１３】
さらに好ましくは、画像形成装置はさらに、画像データを入力するための入力手段を含み、出力手段は、外部記憶媒体が出力条件のみを記憶する場合に、選択された出力条件を適用して、入力手段によって入力される画像データを出力する。これによって、外部記憶装置に記憶されていない画像データに対しても、外部記憶装置に記憶される出力条件を適用することができる。したがって、頻繁に使用する出力条件を、画像データの出力を行なう毎に入力する手間を省くことができる。
【００１４】
さらに好ましくは、画像形成装置はさらに、出力条件を設定するための設定手段を含み、外部記憶媒体に記憶される出力条件は、設定手段によって頻繁に設定される条件である。これによって、例えば、集約（Ｎ−ｕｐ）印刷、及び、ステープル処理等の、ユーザが頻繁に使用する出力条件を、画像データの出力を行なう毎に入力する手間を省くことができる。したがって、ユーザの利便性をより一層向上させることができる。
【００１５】
さらに好ましくは、出力手段は、画像データに対し、ファクシミリ送信処理を実行するファクシミリ送信手段を含み、出力条件は、通信相手先のファクシミリ番号又は電子メールアドレスである。これによって、頻繁に使用する通信相手先のファクシミリ番号又は電子メールアドレスを、ファクシミリ送信処理を行なう毎に入力する手間を省くことができる。また、個人情報である通信相手先のファクシミリ番号又は電子メールアドレスを外部記憶媒体に記憶するので、個人情報の漏洩を防ぐことができ、セキュリティを向上させることができる。
【００１６】
さらに好ましくは、外部記憶装置はさらに、ユーザを識別するための認証データを記憶し、画像形成装置はさらに、装着手段に対して装着された外部記憶媒体に記憶される認証データに基づいて、外部記憶媒体を所有するユーザが、当該画像形成装置の使用を許可された正規のユーザであるか否かを判定する認証手段を含む。これによって、画像形成装置が正規のユーザではない第三者によって利用されることを防ぐことができるので、セキュリティをさらに向上させることができる。
【発明の効果】
【００１７】
本発明によれば、外部記憶媒体に記憶される画像データ及び出力条件に基づいて、出力対象の画像データ及び出力対象の出力条件をそれぞれ選択することができるので、画像データと出力条件との組合せを、適宜選択することができる。これによって、出力条件を迅速に設定することが可能になる。また、上記構成を有する画像形成装置であれば、同一の機能に対する設定方法が異なるいずれの画像形成装置を使用した場合であっても、容易に出力条件を設定することが可能になる。
【図面の簡単な説明】
【００１８】
【図１】本発明の一実施の形態に係る画像形成装置の構成を示すブロック図である。
【図２】ＦＡＸ送信／印刷処理を実現するためのコンピュータプログラムの制御構造をフローチャート形式で示す図である。
【図３】ＦＡＸ送信／印刷処理を実現するためのコンピュータプログラムの制御構造をフローチャート形式で示す図である。
【図４】ＦＡＸ送信／印刷処理を実現するためのコンピュータプログラムの制御構造をフローチャート形式で示す図である。
【図５】画像データ選択画面の一例を示す図である。
【図６】ジョブ設定データ選択画面の一例を示す図である。
【図７】確認画面の一例を示す図である。
【発明を実施するための形態】
【００１９】
以下の説明及び図面においては、同一の部品には同一の参照符号及び名称を付してある。それらの機能も同様である。したがって、それらについての詳細な説明は繰返さない。
【００２０】
〈ハードウェア構成〉  
［画像形成装置２２］  
図１を参照して、画像形成装置２２は、コピー機能、スキャナ機能、ファクシミリ（ＦＡＸ）機能、インターネットＦＡＸ機能、及び、プリンタ機能等を備えるＭＦＰ（Ｍｕｌｔｉｆｕｎｃｔｉｏｎ  Ｐｒｉｎｔｅｒ）である。
【００２１】
画像形成装置２２は、制御部５０、ＨＤＤ（Ｈａｒｄ  Ｄｉｓｋ  Ｄｒｉｖｅ）５２、操作パネル５４、スキャナ部５６、画像処理部５８、排紙処理部５９、画像メモリ６０、印字部６１、回線制御部６２、モデム６３、ＣＩ（Ｃａｌｌｉｎｇ  Ｉｎｄｉｃａｔｏｒ）検出部６４、ＵＳＢ（Ｕｎｉｖｅｒｓａｌ  Ｓｅｒｉａｌ  Ｂｕｓ）インターフェイス（以下「ＵＳＢ  Ｉ／Ｆ」と記す。）６５、及び、ネットワークインターフェイス（以下「ネットワークＩ／Ｆ」と記す。）６６、を含む。
【００２２】
制御部５０は、実質的にコンピュータであって、ＣＰＵ（Ｃｅｎｔｒａｌ  Ｐｒｏｃｅｓｓｉｎｇ  Ｕｎｉｔ）７０、ＲＯＭ（Ｒｅａｄ−Ｏｎｌｙ  Ｍｅｍｏｒｙ）７２、及び、ＲＡＭ（Ｒａｎｄｏｍ  Ａｃｃｅｓｓ  Ｍｅｍｏｒｙ）７４を含む。ＣＰＵ７０には、バスライン７６が接続されており、このバスライン７６には、ＲＯＭ７２及びＲＡＭ７４が電気的に接続される。
【００２３】
ＣＰＵ７０は、操作パネル５４等からの指示に応じて各種コンピュータプログラムを実行することによって、画像形成装置２２の各構成部の動作及び外部装置との通信等の所望の処理を実行する。上記の各種コンピュータプログラムは、予めＲＯＭ７２又はＨＤＤ５２に記憶されており、所望の処理の実行時において、当該ＲＯＭ７２又はＨＤＤ５２から読出されてＲＡＭ７４に転送される。ＣＰＵ７０は、ＣＰＵ７０内の図示しないプログラムカウンタと呼ばれるレジスタに格納された値によって指定される、ＲＡＭ７４内のアドレスからプログラムの命令を読出し、解釈する。ＣＰＵ７０はまた、読出された命令によって指定されるアドレスから演算に必要なデータを読出し、そのデータに対し命令に対応する演算を実行する。実行の結果も、ＲＡＭ７４、ＨＤＤ５２及びＣＰＵ７０内のレジスタ等の、命令によって指定されるアドレスに格納される。
【００２４】
バスライン７６には、さらに、ＨＤＤ５２、操作パネル５４、スキャナ部５６、画像処理部５８、排紙処理部５９、画像メモリ６０、印字部６１、回線制御部６２、モデム６３、ＣＩ検出部６４、ＵＳＢ  Ｉ／Ｆ６５、及び、ネットワークＩ／Ｆ６６が電気的に接続される。
【００２５】
ＨＤＤ５２は、磁気記憶媒体を含み、各種コンピュータプログラム、各種設定値、及び画像データ等を格納する記憶領域を提供する。
【００２６】
本実施の形態において、ＨＤＤ５２には、画像形成装置２２の一般的な動作を実現するためのコンピュータプログラムとともに、後述するＦＡＸ送信／印刷処理を実現するためのコンピュータプログラムが記憶される。このコンピュータプログラムは、ネットワークＩ／Ｆ６６を介して外部装置から提供される。なお、このコンピュータプログラムは、そのコンピュータプログラムが記録された、例えばＤＶＤ（Ｄｉｇｉｔａｌ  Ｖｅｒｓａｔｉｌｅ  Ｄｉｓｃ）等の記録媒体によって提供されてもよい。すなわち、コンピュータプログラムの記録媒体としてのＤＶＤが、画像形成装置２２内に内蔵されるＤＶＤドライブ（図示せず。）に装着され、そのＤＶＤからコンピュータプログラムが読出されてＨＤＤ５２にインストールされてもよい。このコンピュータプログラムにおける、ＦＡＸ送信／印刷処理を実現するためのプログラム構造については後述する。
【００２７】
操作パネル５４は、タッチパネル等からなる入力装置と、液晶ディスプレイ等からなる表示装置と、を重ねて構成される。操作パネル５４は、ユーザに対して対話的な操作インターフェイスを提供する。操作パネル５４は、入力装置から画像形成装置２２全体の動作に対するユーザの指示を受付けて、その指示の内容を表示装置に表示するとともに、その指示に応じた制御信号を制御部５０又は画像処理部５８のＭＰＵ（Ｍｉｃｒｏ  Ｐｒｏｃｅｓｓｉｎｇ  Ｕｎｉｔ、図示せず）に対して出力する。
【００２８】
ユーザは、操作パネル５４に対する入力操作によって、送信条件及び印刷条件等に関する各種設定を行なうことができる。上記した送信条件とは、ＦＡＸ機能及びインターネットＦＡＸ機能によって実現されるＦＡＸ送信処理を実行する際に設定される条件のことである。送信条件としては、例えば、通信相手先のファクシミリ番号又は電子メールアドレス、並びに、送信画質及び親展送信等に関する設定がある。上記した印刷条件とは、プリンタ機能及びコピー機能によって実現される印刷処理を実行する際に設定される条件のことである。印刷条件としては、ページ集約、ステープル処理、サドルステッチ処理、印刷画質、及び、記録用紙のサイズ等に関する設定がある。以下、送信条件及び印刷条件を総称して、出力条件と記す場合がある。
【００２９】
スキャナ部５６は、光源を含む原稿走査ユニット、反射ミラー、光学レンズ及びＣＣＤ（Ｃｈａｒｇｅ−Ｃｏｕｐｌｅｄ  Ｄｅｖｉｃｅ）ラインセンサ（以上いずれも図示せず。）を含む。原稿走査ユニットは、ユーザによって手動で、又は、自動原稿搬送装置（図示せず。）によって、原稿載置台（図示せず。）上に載置された原稿の画像表面に対し光源から光を照射することによって反射光像を得る。反射ミラー及び光学レンズは、得られる反射光像をＣＣＤラインセンサ上に結像させる。ＣＣＤラインセンサは、結像された反射光像を順次光電変換して画像データとして画像処理部５８に対して出力する。
【００３０】
画像処理部５８は、ＭＰＵ（図示せず。）を含む。画像処理部５８は、スキャナ部５６又は外部装置等から入力される画像データに対して、例えば、色補正処理等の所定の画像処理を施して所定の階調の画像データを作成し、画像メモリ６０に対して出力する。
【００３１】
画像メモリ６０は、ＲＡＭを含み、画像処理部５８から入力される画像データ等の画像データをページ単位で一時的に記憶する。画像メモリ６０に一時的に記憶された画像データは、制御部５０からの指示に応じて、各転送先に転送される。すなわち、印刷を行なう場合には印字部６１に転送され、外部装置に送信する場合（例えば、インターネットＦＡＸ送信を行なう場合）にはネットワーク  Ｉ／Ｆ６６に転送され、ＦＡＸ送信を行なう場合には回線制御部６２に転送される。
【００３２】
印字部６１は、感光体、帯電装置、レーザ走査ユニット（ＬＳＵ（Ｌａｓｅｒ  Ｓｃａｎｎｉｎｇ  Ｕｎｉｔ））、現像装置、転写ユニット、クリーニング装置、及び、定着装置（以上いずれも図示せず。）を含む。印字部６１はさらに、画像形成装置２２に着脱自在に装着される、手差し給紙トレイ、第１給紙トレイ及び第２給紙トレイ（以上いずれも図示せず。）を含む。これらの給紙トレイは、この順で上下に並ぶように設置され、記録用紙を保持し、記録用紙を搬送するための用紙搬送部（図示せず。）に記録用紙を送給する。手差し給紙トレイは、ユーザが手動により所望の記録用紙を設置するためのトレイであり、第１給紙トレイ及び第２給紙トレイは、異なる大きさの記録用紙を保持するためのトレイである。印字部６１は、制御部５０等からの指示に応じて、上記給紙トレイのいずれかから用紙搬送部を介して搬送される記録用紙上に、画像メモリ６０から送信される画像データに基づいて画像を形成する。
【００３３】
排紙処理部５９は、複数部の印刷物を作成する場合に、各排紙トレイ９８に印刷物の一部ずつが割当てられるように、記録用紙を各排紙トレイ（図示せず。）に仕分けして排出する仕分け機構を含む。排紙処理部５９はさらに、排紙トレイ上の記録用紙にパンチング処理を施すパンチング機構、排紙トレイ上の記録用紙にステープル処理を施すステープル機構、及び、排紙トレイ上の記録用紙にサドルステッチ処理を施すサドルステッチ機構を含む。
【００３４】
回線制御部６２は、アナログ回線である公衆電話回線網３０とインターフェイスをとるハードウェア回路である。公衆電話回線網３０には、画像形成装置２２とのＦＡＸ通信が可能なファクシミリ装置等の複数の外部装置が接続されている。回線制御部６２は、制御部５０からの指示に応じて、公衆電話回線網３０の閉結及び開放を制御する回線制御を行なうとともに、必要に応じてモデム６３と公衆電話回線網３０とを接続する。回線制御部６２はさらに、公衆電話回線網３０に接続される通信相手先の外部装置を呼出すために、通信相手先のファクシミリ番号に応じたダイヤル信号を通信相手に対して送出する。
【００３５】
モデム６３は、ＦＡＸ通信が可能なファクシミリモデムを含み、回線制御部６２を介して公衆電話回線網３０と接続される。モデム６３は、通信相手に対して送信するためのデジタルデータをアナログデータに変換して回線制御部６２を介して公衆電話回線網３０に送出する。モデム６３はさらに、通信相手から回線制御部６２を介して受信したアナログデータをデジタルデータに変換して復調する。復調された画像データは、符号化／復号化部（図示せず。）によって復号化された後、画像メモリ６０に対して出力される。
【００３６】
ＣＩ検出部６４は、公衆電話回線網３０に接続される外部装置からの呼出信号（ＣＩ信号）を検出し、その検出結果を制御部５０に通知する。制御部５０は、ＣＩ信号を所定時間検出したと判断すると、モデム６３を通じて公衆電話回線網３０を捕捉するために、回線制御部６２に対し、公衆電話回線網３０を閉結するように指示する。公衆電話回線網３０が捕捉されると、モデム６３によってファクシミリ通信が行なわれる。
【００３７】
ＵＳＢ  Ｉ／Ｆ６５は、ＵＳＢポートを備えるインターフェイスである。ＵＳＢ  Ｉ／Ｆ６５にはＵＳＢメモリ６７が着脱可能に接続される。本実施の形態において、ユーザは、ＵＳＢメモリ６７に対し、所望の画像データ及びジョブ設定データを記憶することができる。ここで、ジョブ設定データとは、送信条件及び印刷条件（出力条件）の設定内容を示すデータのことである。
【００３８】
ネットワークＩ／Ｆ６６は、ネットワーク２０とインターフェイスをとる。ネットワーク２０には、画像形成装置２２とのデータ通信が可能なパーソナルコンピュータ、及び、インターネットＦＡＸ装置等の外部装置が接続されている。画像形成装置２２は、ネットワークＩ／Ｆ６６を介して、電子メールデータの通信及びインターネットＦＡＸ通信を行なうことができる。
【００３９】
画像形成装置２２の各構成部には電源（図示せず。）が接続され、この電源から電力が供給されることで、画像形成装置２２の各構成部の動作が実現される。
【００４０】
画像形成装置２２は、上記した各構成部を動作させることによって、操作パネル５４に対するユーザの入力操作に基づく指示に応じて、原稿画像を読取り記録用紙に印刷するコピーモード、外部装置等から送信される画像データを受信して記録用紙に印刷するプリンタモード、原稿画像を読取り外部装置等に送信するスキャナモード、及び、外部装置であるＦＡＸ装置又はインターネットＦＡＸ装置と、ＦＡＸ通信又はインターネットＦＡＸ通信を行なうＦＡＸモード等の各種のモードのいずれかを実行することができる。
【００４１】
〈ソフトウェア構成〉  
（ＦＡＸ送信／印刷処理）  
上記したように、ＨＤＤ５２に記憶されるコンピュータプログラムは、ＦＡＸ送信／印刷処理を実行するようにプログラミングされている。このＦＡＸ送信／印刷処理を実現するためのプログラムは、画像形成装置２２の電源が投入されることによって起動され、電源が切られることによって終了する。
【００４２】
図２を参照して、このプログラムは、ＵＳＢ  Ｉ／Ｆ６５に対し、ＵＳＢメモリ６７が接続されるまで待機するステップ（以下単に「Ｓ」と記す。）１００と、Ｓ１００にて、ＵＳＢメモリ６７が接続されたと判定された場合（ＹＥＳの場合）に実行され、ＵＳＢメモリ６７に画像データが記憶されているか否かを判定するＳ１０１と、Ｓ１０１にて、画像データが記憶されていると判定された場合（ＹＥＳの場合）に実行され、記憶されている画像データを読込むＳ１０２と、を含む。
【００４３】
このプログラムはさらに、全ての画像データの読込みを完了したか否かを判定するＳ１０３と、Ｓ１０１にて、画像データが記憶されていないと判定された場合（ＮＯの場合）、又は、Ｓ１０３にて、全ての画像データの読込みが完了したと判定された場合（ＹＥＳの場合）に実行され、ＵＳＢメモリ６７にジョブ設定データが記憶されているか否かを判定するＳ１０４と、を含む。Ｓ１０３にて、完了していないと判定された場合（ＮＯの場合）には、制御はＳ１０２に戻る。
【００４４】
図３を参照して、このプログラムはさらに、Ｓ１０４にて、ジョブ設定データが記憶されていると判定された場合（ＹＥＳの場合）に実行され、記憶されているジョブ設定データを読込むＳ１０５と、全てのジョブ設定データの読込みを完了したか否かを判定するＳ１０６と、を含む。Ｓ１０６にて、全てのジョブ設定データの読込みが完了していないと判定された場合（ＮＯの場合）には、制御はＳ１０５に戻る。
【００４５】
このプログラムはさらに、Ｓ１０４にて、ジョブ設定データが記憶されていないと判定された場合（ＮＯの場合）、又は、Ｓ１０６にて、全てのジョブ設定データの読込みが完了したと判定された場合（ＹＥＳの場合）に実行され、読込まれた画像データがあるか否かを判定するＳ１０７と、Ｓ１０７にて、読込まれた画像データがあると判定された場合（ＹＥＳの場合）に実行され、読込まれた画像データが複数あるか否かを判定するＳ１０８と、Ｓ１０８にて、読込まれた画像データが複数あると判定された場合（ＹＥＳの場合）に実行され、操作パネル５４に対し、出力対象の画像データを選択するための画像データ選択画面を表示させるＳ１０９と、を含む。
【００４６】
このプログラムはさらに、画像データ選択画面に対するユーザの入力操作によって、所望の画像データが選択されるまで待機するＳ１１０と、Ｓ１０８にて、読込まれた画像データは複数ではないと判定された場合（ＮＯの場合）、又は、Ｓ１１０にて、所望の画像データが選択されたと判定された場合（ＹＥＳの場合）に実行され、出力対象の画像データを決定するＳ１１１と、を含む。Ｓ１１１において、読込まれた画像データが複数ある場合には、選択された画像データが出力対象の画像データとして決定される。一方、読込まれた画像データが複数でない場合、すなわち１つである場合には、読込まれた画像データがそのまま出力対象の画像データとして決定される。
【００４７】
このプログラムはさらに、Ｓ１０７にて、読込まれた画像データがないと判定された場合（ＮＯの場合）、又は、Ｓ１１１の処理後に実行され、読込まれたジョブ設定データがあるか否かを判定するＳ１１２と、Ｓ１１２にて、読込まれたジョブ設定データがあると判定された場合（ＹＥＳの場合）に実行され、読込まれたジョブ設定データが複数あるか否かを判定するＳ１１３と、Ｓ１１３にて、読込まれたジョブ設定データが複数あると判定された場合（ＹＥＳの場合）に実行され、操作パネル５４に対し、出力対象のジョブ設定データを選択するためのジョブ設定データ選択画面を表示させるＳ１１４と、を含む。
【００４８】
このプログラムはさらに、ジョブ設定データ選択画面に対するユーザの入力操作によって、ジョブ設定データが選択されるまで待機するＳ１１５と、Ｓ１１３にて、読込まれたジョブ設定データは複数ではないと判定された場合（ＮＯの場合）、又は、Ｓ１１５にて、ジョブ設定データが選択されたと判定された場合（ＹＥＳの場合）に実行され、出力対象のジョブ設定データを決定するＳ１１６と、を含む。Ｓ１１６において、読込まれたジョブ設定データが複数ある場合には、選択されたジョブ設定データが出力対象のジョブ設定データとして決定される。一方、読込まれたジョブ設定データが複数ではない場合、すなわち１つである場合には、読込まれたジョブ設定データがそのまま出力対象のジョブ設定データとして決定される。
【００４９】
図４を参照して、このプログラムはさらに、Ｓ１１２にて、読込まれたジョブ設定データがないと判定された場合（ＮＯの場合）、又は、Ｓ１１６の処理後に実行され、操作パネル５４に対し、選択された画像データ及びジョブ設定データの内容を確認するための確認画面を表示させるＳ１１７を含む。
【００５０】
このプログラムはさらに、確認画面に対するユーザの入力操作によって、ジョブ実行指示がなされたか否かを判定するＳ１１８と、Ｓ１１８にて、ジョブ実行指示がなされたと判定された場合（ＹＥＳの場合）に実行され、画像形成装置２２の各部に対し、ジョブ設定データに従って、画像データのＦＡＸ送信処理又は印刷処理を実行させるＳ１１９と、を含む。Ｓ１１８にて、ジョブ実行指示がなされないと判定された場合（ＮＯの場合）又は、Ｓ１１９の処理後には、制御はＳ１００に戻る。
【００５１】
［画像データ選択画面４００］  
図５を参照して、画像データ選択画面４００は、出力対象の画像データを選択するための選択ボタン４０２Ａ〜４０２Ｇと、画像データの選択が終了したことを制御部５０に対して通知するための選択終了ボタン４０４と、を含む。選択ボタン４０２Ａ〜４０２Ｇにはそれぞれ、ファイル名又はフォルダ名を示す文字列が表示されている。
【００５２】
ユーザは、所望のファイル名又はフォルダ名が表示される少なくとも１つの選択ボタン４０２を押下することで、選択された選択ボタン４０２に示されるファイル名に対応する画像データ、又は、選択された選択ボタン４０２に示されるフォルダ名が付されたフォルダ内の画像データを選択することができる。ユーザは、所望の画像データを少なくとも１つ選択した後、選択終了ボタン４０４を押下することで、出力対象の画像データを決定することができる。
【００５３】
［ジョブ設定データ選択画面５００］  
図６を参照して、ジョブ設定データ選択画面５００は、出力対象のジョブ設定データを選択するための選択ボタン５０２Ａ〜５０２Ｆと、ジョブ設定データの選択が終了したことを制御部５０に対して通知するための選択終了ボタン５０４と、を含む。選択ボタン５０２Ａ〜５０２Ｆにはそれぞれ、送信条件及び印刷条件（出力条件）の設定内容を示す文字列が表示されている。
【００５４】
ユーザは、所望の設定内容が表示される少なくとも１つの選択ボタン５０２を押下することで、所望のジョブ設定データを選択することができる。ユーザは、所望のジョブ設定データを少なくとも１つ選択した後、選択終了ボタン５０４を押下することで、出力対象のジョブ設定データを決定することができる。
【００５５】
［確認画面６００］  
図７を参照して、確認画面６００は、選択された画像データ及び選択されたジョブ設定データの内容を示すメッセージ６０２と、ジョブ実行指示を出すためのＯＫボタン６０４と、ジョブの実行をキャンセルする指示を出すためのキャンセルボタン６０６と、を含む。
【００５６】
〈動作〉  
図１〜図７を参照して、本実施の形態に係る画像形成装置２２は、ＦＡＸ送信／印刷処理時において、以下のように動作する。なお、以下の動作を除く、画像形成装置２２の一般的な機能を実現するための動作は、従来の画像形成装置の動作と同じである。以下の動作において、画像形成装置２２は電源が投入された状態であるものとする。
【００５７】
（ＵＳＢメモリ６７に、画像データ及びジョブ設定データが記憶されている場合）  
ユーザは、ＵＳＢメモリ６７に対し、所望の複数の画像データ及び所望の複数のジョブ設定データを、予め記憶させているものとする。
【００５８】
ユーザは、ＵＳＢ  Ｉ／Ｆ６５に対し、ＵＳＢメモリ６７を接続する。ＵＳＢメモリ６７が接続されると（Ｓ１００にてＹＥＳ）、制御部５０は、ＵＳＢメモリ６７に画像データが記憶されているか否かを判定する（Ｓ１０１）。制御部５０は、画像データが記憶されていると判定し（Ｓ１０１にてＹＥＳ）、記憶されている画像データを読込む（Ｓ１０２）。
【００５９】
制御部５０は、全ての画像データの読込みが完了すると（Ｓ１０３にてＹＥＳ）、ＵＳＢメモリ６７にジョブ設定データが記憶されているか否かを判定する（Ｓ１０４）。制御部５０は、ジョブ設定データが記憶されていると判定し（Ｓ１０４にてＹＥＳ）、記憶されているジョブ設定データを読込む（Ｓ１０５）。
【００６０】
制御部５０は、全てのジョブ設定データの読込みが完了すると（Ｓ１０６にてＹＥＳ）、読込まれた画像データがあるか否かを判定する（Ｓ１０７）。制御部５０は、読込まれた画像データがあると判定し（Ｓ１０７にてＹＥＳ）、読込まれた画像データが複数あるか否かを判定する（Ｓ１０８）。
【００６１】
制御部５０によって、読込まれた画像データが複数あると判定されると（Ｓ１０８にてＹＥＳ）、操作パネル５４は、画像データ選択画面４００（図５参照）を表示する（Ｓ１０９）。画像データ選択画面４００を確認したユーザは、所望のファイル名又はフォルダ名が表示される選択ボタン４０２を押下する。ここでは、「Ｆｉｌｅ１．ｔｉｆｆ」というファイル名が表示される選択ボタン４０２Ｂが選択されるものとする。ユーザは、所望の選択ボタン４０２Ｂを選択した後、選択終了ボタン４０４を押下する。
【００６２】
選択終了ボタン４０４が押下されると、制御部５０は、画像データ選択画面４００に対するユーザの入力操作によって、所望の画像データが選択されたと判定し（Ｓ１１０にてＹＥＳ）、選択されたファイル名に対応する画像データを、出力対象の画像データとして決定する（Ｓ１１１）。
【００６３】
出力対象の画像データの決定後、制御部５０は、読込まれたジョブ設定データがあるか否かを判定する（Ｓ１１２）。制御部５０は、読込まれたジョブ設定データがあると判定し（Ｓ１１２にてＹＥＳ）、読込まれたジョブ設定データが複数あるか否かを判定する（Ｓ１１３）。
【００６４】
制御部５０によって、読込まれたジョブ設定データが複数あると判定されると（Ｓ１１３にてＹＥＳ）、操作パネル５４は、ジョブ設定データ選択画面５００（図６参照）を表示する（Ｓ１１４）。ジョブ設定データ選択画面５００を確認したユーザは、所望の設定内容を示す文字列が表示される選択ボタン５０２を押下する。ここでは、「Ａさん宛のＦＡＸ番号」という文字列が表示される選択ボタン５０２Ｂが選択される。ユーザは、所望の選択ボタン５０２Ｂを選択した後、選択終了ボタン５０４を押下する。
【００６５】
選択終了ボタン５０４が押下されると、制御部５０は、ジョブ設定データ選択画面５００に対するユーザの入力操作によって、所望のジョブ設定データが選択されたと判定し（Ｓ１１５にてＹＥＳ）、選択された設定内容に対応するジョブ設定データを、出力対象のジョブ設定データとして決定する（Ｓ１１６）。
【００６６】
出力対象のジョブ設定データの決定後、操作パネル５４は、確認画面６００（図７参照）を表示する（Ｓ１１７）。確認画面６００には、「『Ｆｉｌｅ１．ｔｉｆｆ』の画像データを、『Ａさん宛のＦＡＸ番号』のジョブ設定データでジョブを実行しますか？」というメッセージ６０２が表示される。メッセージ６０２を確認したユーザは、ＯＫボタン６０４を押下する。
【００６７】
ＯＫボタン６０４が押下されると、制御部５０は、確認画面６００に対するユーザの入力操作によって、ジョブ実行指示がなされたと判定し（Ｓ１１８にてＹＥＳ）、画像形成装置２２の画像メモリ６０、回線制御部６２、及びモデム６３に対し、ジョブ設定データに従って、画像データのＦＡＸ送信処理を実行させる（Ｓ１１９）。
【００６８】
なお、確認画面６００においてキャンセルボタン６０６が押下された場合には、確認画面６００の表示は終了され、制御部５０は、ＵＳＢ  Ｉ／Ｆ６５に対し、ＵＳＢメモリ６７が再度接続されるまで待機する。
【００６９】
（ＵＳＢメモリ６７に、画像データのみが記憶されている場合）  
ユーザは、ＵＳＢメモリ６７に対し、所望の１つの画像データを、予め記憶させているものとする。
【００７０】
ユーザは、ＵＳＢ  Ｉ／Ｆ６５に対し、ＵＳＢメモリ６７を接続する。ＵＳＢメモリ６７が接続されると（Ｓ１００にてＹＥＳ）、制御部５０は、ＵＳＢメモリ６７に画像データが記憶されているか否かを判定する（Ｓ１０１）。制御部５０は、画像データが記憶されていると判定し（Ｓ１０１にてＹＥＳ）、記憶されている画像データを読込む（Ｓ１０２）。
【００７１】
制御部５０は、全ての画像データの読込みが完了すると（Ｓ１０３にてＹＥＳ）、ＵＳＢメモリ６７にジョブ設定データが記憶されているか否かを判定する（Ｓ１０４）。制御部５０は、ジョブ設定データが記憶されていないと判定し（Ｓ１０４にてＮＯ）、読込まれた画像データがあるか否かを判定する（Ｓ１０７）。制御部５０は、読込まれた画像データがあると判定し（Ｓ１０７にてＹＥＳ）、読込まれた画像データが複数あるか否かを判定する（Ｓ１０８）。
【００７２】
制御部５０は、読込まれた画像データは１つであると判定し（Ｓ１０８にてＮＯ）、画像データ選択画面４００の表示を行なわず、読込まれた画像データをそのまま出力対象の画像データとして決定する（Ｓ１１１）。なお、設定された画像データは、「Ｆｏｌｄｅｒ０」という名称が付されたフォルダ内に格納されているものとする。
【００７３】
出力対象の画像データの決定後、制御部５０は、読込まれたジョブ設定データがあるか否かを判定する（Ｓ１１２）。制御部５０によって、読込まれたジョブ設定データがないと判定されると（Ｓ１１２にてＮＯ）、操作パネル５４は、確認画面６００を表示する（Ｓ１１７）。確認画面６００には、「『Ｆｏｌｄｅｒ０』内の画像データでジョブを実行しますか？」というメッセージ６０２（図示せず。）が表示される。メッセージ６０２を確認したユーザは、操作パネル５４に対する入力操作によって、ＦＡＸ送信処理を実行する際に必要となる送信条件（通信相手先のメールアドレス等）を設定した後、ＯＫボタン６０４を押下する。
【００７４】
ＯＫボタン６０４が押下されると、制御部５０は、確認画面６００に対するユーザの入力操作によって、ジョブ実行指示がなされたと判定し（Ｓ１１８にてＹＥＳ）、画像形成装置２２の画像メモリ６０、及びネットワークＩ／Ｆ６６に対し、設定された送信条件に従って、画像データのインターネットＦＡＸ送信処理を実行させる（Ｓ１１９）。
【００７５】
（ＵＳＢメモリ６７に、ジョブ設定データのみが記憶されている場合）  
ユーザは、ＵＳＢメモリ６７に対し、所望の１つのジョブ設定データを、予め記憶させているものとする。
【００７６】
ユーザは、ＵＳＢ  Ｉ／Ｆ６５に対し、ＵＳＢメモリ６７を接続する。ＵＳＢメモリ６７が接続されると（Ｓ１００にてＹＥＳ）、制御部５０は、ＵＳＢメモリ６７に画像データが記憶されているか否かを判定する（Ｓ１０１）。制御部５０は、画像データが記憶されていないと判定し（Ｓ１０１にてＮＯ）、ＵＳＢメモリ６７にジョブ設定データが記憶されているか否かを判定する（Ｓ１０４）。制御部５０は、ジョブ設定データが記憶されていると判定し（Ｓ１０４にてＹＥＳ）、記憶されているジョブ設定データを読込む（Ｓ１０５）。
【００７７】
制御部５０は、全てのジョブ設定データの読込みが完了すると（Ｓ１０６にてＹＥＳ）、読込まれた画像データがあるか否かを判定する（Ｓ１０７）。制御部５０は、読込まれた画像データがないと判定し（Ｓ１０７にてＮＯ）、読込まれたジョブ設定データがあるか否かを判定する（Ｓ１１２）。制御部５０は、読込まれたジョブ設定データがあると判定し（Ｓ１１２にてＹＥＳ）、読込まれたジョブ設定データが複数あるか否かを判定する（Ｓ１１３）。
【００７８】
制御部５０は、読込まれたジョブ設定データは１つであると判定し（Ｓ１１３にてＮＯ）、ジョブ設定データ選択画面５００の表示を行なわず、読込まれたジョブ設定データをそのまま出力対象のジョブ設定データとして決定する（Ｓ１１６）。決定されたジョブ設定データの内容は、「ページ集約機能（４ｉｎ１）」であるものとする。
【００７９】
出力対象のジョブ設定データの決定後、操作パネル５４は、確認画面６００を表示する（Ｓ１１７）。確認画面６００には、「『ページ集約機能（４ｉｎ１）』のジョブ設定データでジョブを実行しますか？」というメッセージ６０２（図示せず。）が表示される。メッセージ６０２を確認したユーザは、スキャナ部５６の原稿載置台（図示せず。）に原稿をセットするとともに、操作パネル５４に対する入力操作によって、コピー処理を実行する際に必要となる他の印刷条件を設定した後、ＯＫボタン６０４を押下する。
【００８０】
ＯＫボタン６０４が押下されると、制御部５０は、確認画面６００に対するユーザの入力操作によって、ジョブ実行指示がなされたと判定し（Ｓ１１８にてＹＥＳ）、画像形成装置２２のスキャナ部５６、画像処理部５８、画像メモリ６０、及び印字部６１に対し、ジョブ設定データ及び設定された他の印刷条件に従って、画像データのコピー処理を実行させる（Ｓ１１９）。
【００８１】
（ＵＳＢメモリ６７に、何も記憶されていない場合）  
ユーザは、ＵＳＢ  Ｉ／Ｆ６５に対し、何も記憶されていない状態のＵＳＢメモリ６７を接続する。ＵＳＢメモリ６７が接続されると（Ｓ１００にてＹＥＳ）、制御部５０は、ＵＳＢメモリ６７に画像データが記憶されているか否かを判定する（Ｓ１０１）。制御部５０は、画像データが記憶されていないと判定し（Ｓ１０１にてＮＯ）、ＵＳＢメモリ６７にジョブ設定データが記憶されているか否かを判定する（Ｓ１０４）。制御部５０は、ジョブ設定データが記憶されていないと判定し（Ｓ１０４にてＮＯ）、読込まれた画像データがあるか否かを判定する（Ｓ１０７）。制御部５０は、読込まれた画像データがないと判定し（Ｓ１０７にてＮＯ）、読込まれたジョブ設定データがあるか否かを判定する（Ｓ１１２）。制御部５０によって、読込まれたジョブ設定データがないと判定されると（Ｓ１１２にてＮＯ）、操作パネル５４は、確認画面６００を表示する（Ｓ１１７）。
確認画面６００には、「画像データ及びジョブ設定データが記憶されていません。」というメッセージ６０２（図示せず。）が表示される。メッセージ６０２を確認したユーザは、ＯＫボタン６０４を押下する。
【００８２】
ＯＫボタン６０４が押下されると、制御部５０は、確認画面６００に対するユーザの入力操作によって、ジョブ実行指示がなされたと判定し（Ｓ１１８にてＹＥＳ）、画像形成装置２２の各部を、ＦＡＸ送信処理及び印刷処理を実行可能な待機状態にする（Ｓ１１９）。ＯＫボタン６０４の押下後、ユーザは、通常のＦＡＸ送信処理又は印刷処理を実行する。
【００８３】
〈作用・効果〉  
上記実施の形態によれば、画像形成装置２２において、ＵＳＢ  Ｉ／Ｆ６５は、持ち運び可能なＵＳＢメモリ６７を着脱可能に装着し、画像メモリ６０、印字部６１、回線制御部６２、モデム６３、及びネットワークＩ／Ｆ６６（以下、総称して「出力部」と記す場合がある。）は、画像データの出力（印刷処理及びＦＡＸ送信処理）を行なう。ＵＳＢメモリ６７は、出力部によって画像データを出力する際に設定される出力条件であるジョブ設定データを記憶するとともに、画像データを記憶可能である。画像形成装置２２において、操作パネル５４は、ＵＳＢ  Ｉ／Ｆ６５に対して装着されたＵＳＢメモリ６７に記憶される画像データ及びジョブ設定データに基づいて、出力対象の画像データ及び出力対象のジョブ設定データを選択し、出力部は、選択されたジョブ設定データを適用して、選択された画像データを出力する。
【００８４】
このように、ＵＳＢメモリ６７に記憶される画像データ及びジョブ設定データに基づいて、出力対象の画像データ及び出力対象のジョブ設定データをそれぞれ選択することができるので、画像データとジョブ設定データとの組合せを、適宜選択することができる。これによって、出力条件を迅速に設定することが可能になる。また、上記構成を有する画像形成装置２２であれば、同一の機能に対する設定方法が異なるいずれの画像形成装置２２を使用した場合であっても、容易に出力条件を設定することが可能になる。
【００８５】
また上記実施の形態によれば、操作パネル５４は、表示装置及び表示装置に対して重ねて構成されるタッチパネルを含む。表示装置は、ＵＳＢ  Ｉ／Ｆ６５に対して装着されたＵＳＢメモリ６７に記憶される画像データ及びジョブ設定データの内容を表示し、操作パネル５４は、タッチパネルに対するユーザのタッチ操作を検出することによって、出力対象の画像データ及び出力対象のジョブ設定データを選択する。これによって、ユーザは、表示装置に表示される情報を確認した後に、タッチパネルに対するタッチ操作によって出力対象の画像データ及び出力対象のジョブ設定データを選択することができる。したがって、出力対象の画像データ及び出力対象のジョブ設定データをより一層容易に選択することができるようになり、ユーザの利便性が向上する。
【００８６】
また上記実施の形態によれば、画像形成装置２２において、スキャナ部５６は、画像データを入力し、出力部は、ＵＳＢメモリ６７がジョブ設定データのみを記憶する場合に、選択されたジョブ設定データを適用して、スキャナ部５６によって入力される画像データを出力する。これによって、ＵＳＢメモリ６７に記憶されていない画像データに対しても、ＵＳＢメモリ６７に記憶されるジョブ設定データを適用することができる。したがって、頻繁に使用する出力条件を、画像データの出力を行なう毎に入力する手間を省くことができる。
【００８７】
また上記実施の形態によれば、画像形成装置２２において、操作パネル５４は、出力条件を設定し、ＵＳＢメモリ６７に記憶されるジョブ設定データは、操作パネル５４によって頻繁に設定される出力条件である。これによって、例えば、集約（Ｎ−ｕｐ）印刷、及び、ステープル処理等の、ユーザが頻繁に使用する出力条件を、画像データの出力を行なう毎に入力する手間を省くことができる。したがって、ユーザの利便性をより一層向上させることができる。
【００８８】
また上記実施の形態によれば、出力部において、画像メモリ６０、回線制御部６２、モデム６３、及びネットワークＩ／Ｆ６６は、画像データに対し、ＦＡＸ送信処理を実行し、ジョブ設定データは、通信相手先のファクシミリ番号又は電子メールアドレスである。これによって、頻繁に使用する通信相手先のファクシミリ番号又は電子メールアドレスを、ＦＡＸ送信処理を行なう毎に入力する手間を省くことができる。また、個人情報である通信相手先のファクシミリ番号又は電子メールアドレスをＵＳＢメモリ６７に記憶するので、個人情報の漏洩を防ぐことができ、セキュリティを向上させることができる。
【００８９】
〈変形例〉  
なお、上記実施の形態では、出力対象の画像データ及び出力対象のジョブ設定データはそれぞれ１つ選択されたが、本発明はそのような実施の形態に限定されない。例えば、操作パネル５４によって、出力対象の画像データが複数選択され、出力対象のジョブ設定データが１つ選択されてもよい。この場合、出力部は、選択された複数の画像データに対し、選択された同一のジョブ設定データを適用して、選択された複数の画像データを出力する。これによって、複数の画像データに対して同一のジョブ設定データを適用させたい場合（例えば、複数の画像データを、同一の通信相手先にファクシミリ送信したい場合、及び、１枚の記録用紙に集約（Ｎ−ｕｐ）印刷したい場合等）に、画像データ毎にジョブ設定データを設定する手間を省くことができる。したがって、ユーザの利便性を向上させることができる。
【００９０】
また、操作パネル５４によって、出力対象の画像データが１つ選択され、出力対象のジョブ設定データが複数選択されてもよい。この場合、出力部は、選択された同一の画像データに対し、選択された複数のジョブ設定データを適用して、出力対象の画像データを出力する。これによって、同一の画像データに対して複数のジョブ設定データを適用させたい場合（例えば、同一の画像データに対し、集約（Ｎ−ｕｐ）印刷、及び、ステープル処理を行ないたい場合等）に、ジョブ設定データの組合せを容易に選択することができる。したがって、ユーザの利便性を向上させることができる。
【００９１】
また上記実施の形態では、ＵＳＢメモリ６７には、画像データ及びジョブ設定データのみが記憶されたが、本発明はそのような実施の形態に限定されない。例えば、ＵＳＢメモリ６７には、画像データ及びジョブ設定データに加えて、ユーザを識別するための認証データ（例えば、ユーザＩＤ）が記憶されてもよい。この場合、制御部５０は、ＵＳＢ  Ｉ／Ｆ６５に対して装着されたＵＳＢメモリ６７に記憶される認証データに基づいて、ＵＳＢメモリ６７を所有するユーザが、当該画像形成装置２２の使用を許可された正規のユーザであるか否かを判定する。そして、正規のユーザであると判定した場合のみ、上記したＦＡＸ送信／印刷処理を実行する。これによって、画像形成装置２２が正規のユーザではない第三者によって利用されることを防ぐことができるので、セキュリティをさらに向上させることができる。
【００９２】
また上記実施の形態では、画像データ選択画面４００，ジョブ設定データ選択画面５００において、選択された選択ボタン４０２，５０２の表示態様は変化しなかったが、本発明はそのような実施の形態に限定されない。例えば、選択された選択ボタン４０２，５０２は、白黒反転表示されてもよい。
【００９３】
また上記実施の形態では、全ての画像データ及び全てのジョブ設定データの読込みが完了した後に、画像データ及びジョブ設定データの選択が行なわれたが、本発明はそのような実施の形態に限定されない。例えば、画像データ及びジョブ設定データに対し、予めインデックスデータを付しておく。そして、画像データ及びジョブ設定データを選択する際に、全てのインデックスデータのみを読込み、読込んだインデックスデータに基づいて画像データ及びジョブ設定データの選択を行なわせた後、選択された画像データ及び選択されたジョブ設定データのみを読込んでもよい。
【００９４】
また上記実施の形態では、外部記憶媒体としてＵＳＢメモリを用いたが、本発明はそのような実施の形態に限定されない。例えば、ＵＳＢメモリに代えて、メモリカード及びＭＯ（Ｍａｇｎｅｔｏ−Ｏｐｔｉｃａｌ  ｄｉｓｃ）等を用いてもよい。
【００９５】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【００９６】
２２  画像形成装置
５４  操作パネル
５６  スキャナ部
６０  画像メモリ
６１  印字部
６２  回線制御部
６３  モデム
６５  ＵＳＢ  Ｉ／Ｆ
６６  ネットワークＩ／Ｆ
６７  ＵＳＢメモリ
【図１】
2012005016.tif 000003
【図２】
2012005016.tif 000004
【図３】
2012005016.tif 000005
【図４】
2012005016.tif 000006
【図５】
2012005016.tif 000007
【図６】
2012005016.tif 000008
【図７】
2012005016.tif 000009